(57)【特許請求の範囲】
【請求項１】
超音波内視鏡に接続され、この超音波内視鏡から診断対象に超音波を送受信することにより得た超音波断層画像に基づいて診断を行う超音波診断装置において、
前記超音波内視鏡に記憶されている前記超音波内視鏡の機器情報を読み取る読取手段と、
前記超音波内視鏡の先端に設けられた先端キャップからの反射エコーにより得られるエコーデータを第１のエコーデータとして記憶する第１の記憶手段と、
超音波内視鏡画像の画質調整データおよび前記第１のエコーデータに関するデータのデータベースを有するホストコンピュータとの間でデータの転送を行う通信手段と、
前記読取手段により読み取った機器情報および前記通信手段からの入力データに基づいて得られる、前記超音波内視鏡画像の画質調整データおよび前記第１のエコーデータに関するデータを記憶する第２の記憶手段と、
前記第１の記憶手段に記憶されている第１のエコーデータと前記第２の記憶手段に記憶されている前記第１のエコーデータに関するデータとの比較により得られる比較データに基づいて、前記第２の記憶手段に記憶されている画質調整データを補正する補正手段と、
前記補正手段により補正された画質調整データに基づいて、前記超音波診断装置の設定状態を変更する設定変更手段とを備えて成ることを特徴とする超音波診断装置。
【請求項２】
超音波内視鏡に接続され、この超音波内視鏡から診断対象に超音波を送受信することにより得た超音波断層画像に基づいて診断を行う超音波診断装置において、
前記超音波内視鏡に記憶されている前記超音波内視鏡の機器情報を読み取る読取手段と、
多数の臨床によって得られた、超音波内視鏡画像の画質調整データに関するデータベースを有するホストコンピュータとの間でデータの転送を行う通信手段と、
前記読取手段により読み取った機器情報および前記通信手段からの入力データに基づいて得られる前記超音波内視鏡画像の画質調整データを記憶する記憶手段と、
画質調整データに基づいて、前記超音波診断装置の複数の画質設定項目の設定状態を変更する設定変更手段とを備え、
前記設定変更手段は、前記通信手段により得られた前記画質調整データから、前記読取手段により読み取った前記超音波内視鏡の機器情報に基づき該超音波内視鏡に対応して選択された画質調整データに基づいて前記複数の画質設定項目の設定状態を変更すること
を特徴とする超音波診断装置。
【発明の詳細な説明】
【０００１】
【産業上の利用分野】
本発明は、超音波を例えば体内組織に照射したとき、該超音波が体内組織の音響インピーダンスの境界面で反射する特性を利用して体内組織の超音波断層画像を得るようにした、超音波診断装置に関するものである。
【０００２】
【従来の技術】
この種の従来の超音波診断装置としては、例えば、特公昭63-67151号公報に記載されたものがある。
この従来例は、超音波エコー信号を受信する受信回路の増幅度を調整したり、送受信回路で得られる超音波エコー信号の送受信の時間間隔を変化させたり、自己故障診断を行ったりしている。
【０００３】
【発明が解決しようとする課題】
一般に、超音波診断装置においては、画質を最良にするために、受信回路の増幅度以外に受信回路のダイナミックレンジやＳＴＣ（Sensitivity Time Controller ）等の調整機能を駆使して診断を行うことが多く、これらの多くの調整機能を駆使して診断を行うには熟練した技術が要求される。また、体腔内診断では、プローブを患者の口から挿入して診断を行うので、迅速な診断が要求される。したがって、上記調整機能が超音波診断装置の起動時点で予めほぼ適切な設定になっていて、オペレータは可能な限り上記調整行為をしないで済むような構成が望ましい。
一方、超音波診断装置において、例えば画質を最良にすると考えられる設定条件は、超音波診断装置を使用する前に予め決定できるものではなく、超音波診断装置を実際に使用する過程で診断条件に応じて決定される。よって、画質調整の内容は、随時任意に更新できることが要求される。
【０００４】
しかしながら、上述した従来例の超音波診断装置は、受信回路の増幅度等を調整して故障の自己診断を行っているだけなので、上記調整機能に関する要求を満たすことは難しい。
【０００５】
本発明は、起動時に診断条件に応じて受信回路等の設定状態を良好な画質が得られるように自動設定する、超音波診断装置を提供することを目的とする。
【０００６】
【課題を解決するための手段】
上記目的のため、本発明は、超音波内視鏡に接続され、この超音波内視鏡から診断対象に超音波を送受信することにより得た超音波断層画像に基づいて診断を行う超音波診断装置において、前記超音波内視鏡に記憶されている前記超音波内視鏡の機器情報を読み取る読取手段と、前記超音波内視鏡の先端に設けられた先端キャップからの反射エコーにより得られるエコーデータを第１のエコーデータとして記憶する第１の記憶手段と、超音波内視鏡画像の画質調整データおよび前記第１のエコーデータに関するデータのデータベースを有するホストコンピュータとの間でデータの転送を行う通信手段と、前記読取手段により読み取った機器情報および前記通信手段からの入力データに基づいて得られる、前記超音波内視鏡画像の画質調整データおよび前記第１のエコーデータに関するデータを記憶する第２の記憶手段と、前記第１の記憶手段に記憶されている第１のエコーデータと前記第２の記憶手段に記憶されている前記第１のエコーデータに関するデータとの比較により得られる比較データに基づいて、前記第２の記憶手段に記憶されている画質調整データを補正する補正手段と、前記補正手段により補正された画質調整データに基づいて、前記超音波診断装置の設定状態を変更する設定変更手段とを備えて成ることを特徴とするものである。
上記目的のため、本発明は、超音波内視鏡に接続され、この超音波内視鏡から診断対象に超音波を送受信することにより得た超音波断層画像に基づいて診断を行う超音波診断装置において、  前記超音波内視鏡に記憶されている前記超音波内視鏡の機器情報を読み取る読取手段と、多数の臨床によって得られた、超音波内視鏡画像の画質調整データに関するデータベースを有するホストコンピュータとの間でデータの転送を行う通信手段と、前記読取手段により読み取った機器情報および前記通信手段からの入力データに基づいて得られる前記超音波内視鏡画像の画質調整データを記憶する記憶手段と、画質調整データに基づいて、前記超音波診断装置の複数の画質設定項目の設定状態を変更する設定変更手段とを備え、
前記設定変更手段は、前記通信手段により得られた前記画質調整データから、前記読取手段により読み取った前記超音波内視鏡の機器情報に基づき該超音波内視鏡に対応して選択された画質調整データに基づいて前記複数の画質設定項目の設定状態を変更することを特徴とするものである。
【０００７】
【作用】
本発明によれば、上記構成により、システム起動時には超音波診断装置の設定状態、例えば受信回路の設定状態の変更が自動的に完了して、超音波観測装置に接続した超音波内視鏡に応じて良好な画質が得られるような設定になっているから、オペレータは起動後に必要最小限の調整を行うだけでよく、画質設定調整の作業性が向上する。
【０００８】
【実施例】
以下、本発明の実施例を図面に基づき詳細に説明する。図１は本発明の超音波診断装置の第１実施例の構成を示すブロック図であり、図中１は超音波内視鏡、２は超音波内視鏡１を接続される超音波観測装置を示す。
超音波内視鏡１は、超音波観測装置２の受信信号処理回路３に超音波エコー信号を入力し、その超音波エコー信号は受信信号処理回路３よりＡ／Ｄコンバータ４に入力されてデジタル化される。このデジタル化された超音波エコー信号は、ＤＳＣ（デジタルスキャンコンバータ）５に入力されてそこでテレビフォーマットに適合するように座標変換される。この座標変換されたデータは、超音波観測装置２に付属するテレビモニタ６に入力されて図示のような表示となる。
【０００９】
また、超音波内視鏡の種類（胃用、大腸用、十二指腸用等）や超音波振動子の周波数等の、超音波内視鏡１に内蔵されている図示しないデータが、超音波観測装置２の超音波内視鏡データ読み取り回路７に入力されて読み取られる。
さらに、超音波観測装置２には、外部からのデータを入力可能な音響カップラ８およびモデム９が設けられているため、図示しない電話回線によって転送されるデータを読み取ることができる。すなわち、音響カップラ８は、図示しない電話回線を介して音響カップラ１０と接続され、音響カップラ１０にはモデム１１が接続され、モデム１１にはホストコンピュータ（のデータベース）１２が接続され、このデータベースには種々の病状、プローブの種類に対応する画質調整データが蓄積されているので、この蓄積された画質調整データをモデム１１、音響カップラ１０，８、モデム９を介して超音波観測装置２に転送することができ、したがってホストコンピュータ１２と超音波観測装置２との間では双方向のデータの転送が可能である。
【００１０】
上述のようにしてホストコンピュータ（のデータベース）１２より入力されたデータは、超音波観測装置２内のＣＰＵ１３で超音波観測装置２の受信信号処理回路３のデータとして必要な形に変換される。ＣＰＵ１３はまた、外部データによって設定された画質調整状態を解析して、その設定を画質調整状態記憶メモリ１４に記憶する。
ＣＰＵ１３は、さらに画質調整状態記憶メモリ１４の内部の画質調整データに基づいて増幅度、ダイナミックレンジ、ＳＴＣに関するデータをキーボード１５およびテレビモニタ６に出力する。これと同時に、上記画質調整状態記憶メモリ１４の内部の画質調整データは受信信号処理回路３に入力される。
【００１１】
キーボード１５は、図３（ａ）または（ｂ）に示すように構成される。図３（ａ）は、増幅度、ダイナミックレンジ、ＳＴＣを夫々対応するＬＥＤによって表示するようにしたものである。また、図３（ｂ）は、増幅度、ダイナミックレンジ、ＳＴＣを夫々対応する液晶パネルによって表示するようにしたものであり、この場合、適応部位表示ボディマークをも表示するようになっている。なお、図３（ｂ）では図示していないが上記表示画面はキーボード入力画面に切り換えられるようになっており、図３（ａ）も同様のキーボード入力機能を有していることは言うまでもない。
【００１２】
受信信号処理回路３は、図２に示すように構成される。すなわち、受信信号処理回路３は、受信エコー信号が入力されるアンプ１６と、アンプ１６で増幅された信号を復調器１７、ＬＯＧアンプ１８を介して入力される加算器１９と、ＬＯＧアンプ１８および加算器１９間に抵抗Ｒ１を介して接続されるＤ／Ａコンバータ２０とを具え、Ｄ／Ａコンバータ２０には起動時（電源投入時）に画質調整状態記憶メモリ１４から転送される増幅度設定データが入力される。
【００１３】
受信信号処理回路３はさらに、加算器１９の出力信号を入力される加算器２１を具え、加算器２１には、書き込み可能で高速の読み出しが可能なＳＲＡＭ２３と、ＳＲＡＭ２３からのデータをアナログ化するＤ／Ａコンバータ２２との直列回路が抵抗Ｒ２を介して接続される。ＳＲＡＭ２３には画質調整状態記憶メモリ１４の内部に記憶されているＳＴＣのデータが電源投入と同時に書き込まれ、このＳＲＡＭ２３から加算器２１には上記受信エコー信号のＡ／Ｄコンバータ４によるサンプリングのタイミングと同期して読み出しが行われる。
【００１４】
受信信号処理回路３はさらに、加算器２１の出力信号を入力される抵抗群２４と、抵抗群２４の各タップに接続されるマルチプレクサ２５と、マルチプレクサ２５に接続されるバッファアンプ２６とを具え、加算器２１の出力信号はバッファアンプ２６に選択的に入力される。マルチプレクサ２５には電源投入時に、画質調整状態記憶メモリ１４の内部に記憶されているダイナミックレンジのデータが転送され、マルチプレクサ２５の切換が行われる。
バッファアンプ２６はここでは図示しないＡ／Ｄコンバータ４に接続され、受信エコー信号は最終的に増幅度、ダイナミックレンジ、ＳＴＣに関する調整がなされた画質になるような修正が加えられた後、デジタル化される。
なお、画質調整状態記憶メモリ１４には上記ホストコンピュータ（のデータベース）１２から転送された全データが記憶されることになるが、その中で受信信号処理回路３へ転送されるのは実際に使用している超音波内視鏡１に対応するデータのみであり、そのようにするための制御は、接続したプローブの種類等を判定する超音波内視鏡データ読み取り回路７によって実施される。
【００１５】
上述のように構成された第１実施例の超音波診断装置においては、以下に示すようにして起動時の自動画質調整および外部からの画質調整がなされる。
すなわちまず、超音波観測装置２に電源を投入すると、超音波観測装置２に設けた音響カップラ９、モデム８および、音響カップラ１０、モデム１１およびホストコンピュータ１２によって図示しない電話回線を利用したデータ転送がなされる。
このとき転送されるデータとは、ホストコンピュータ（のデータベース）１２に記憶されているデータの中から当該超音波内視鏡１に最適のものを選択したデータであり、そのデータは多数の臨床によって得られた画質調整内容を表わすデータに他ならない。また、この場合の画質調整内容とは、超音波内視鏡、超音波スコープ等のスコープ種類毎に、周波数毎に、胃、大腸等の適応部位毎に調整を行うための画質調整データである。したがって、このデータに基づく起動時の自動画質調整だけで、その後の調整を行わなくても、少なくとも標準的な画像品質は得られることになる。
【００１６】
音響カップラ８を介して超音波観測装置２に伝送されたデータは、画質調整状態記憶メモリ１４に入力可能な形になるようにＣＰＵ１３でデータのフォーマットが修正されてから、画質調整状態記憶メモリ１４に記憶される。
一方、超音波観測装置２に上記電源投入前に機械的に接続されている超音波内視鏡１は、７．５ＭＨｚ、１２ＭＨｚ等の周波数や、大腸用、十二指腸用、胃用等のプローブの種類や、遠点、近点等の振動子焦点位置等に関するデータを記憶している図示しないデータ記憶手段を有しているので、上記ホストコンピュータ１２からの電話回線を介したデータ転送と並行して、上記プローブのデータが超音波観測装置２内の超音波内視鏡データ読み取り回路７に入力される。
【００１７】
超音波内視鏡データ読み取り回路７で読み取られたデータにより、超音波観測装置２に接続された超音波内視鏡１に対応する画質調整メモリの記憶内容だけを出力するようなメモリアドレスが作成され、画質調整状態記憶メモリ１４に転送される。画質調整状態記憶メモリ１４は、このメモリアドレスの内容を受けて、使用しているプローブに最も適した画質調整データを受信信号処理回路３およびキーボード１５に入力する。それにより、キーボード１５において、入力された画像調整データに基づいて、増幅度、ダイナミックレンジ、ＳＴＣの表示内容が変更される。
これと同時に、受信信号処理回路３においては、適切な増幅度、ダイナミックレンジ、ＳＴＣを超音波エコー信号に与えるデータが、加算器１９に接続されたＤ／Ａコンバータ２０、加算器２１にＤ／Ａコンバータ２２および抵抗Ｒ２を介して接続されたＳＲＡＭ２３およびマルチプレクサ２５に夫々転送される。
【００１８】
このようにして転送されたデータによって、Ｄ／Ａコンバータ２０からは適切な増幅度に調整する直流電圧が出力され、ＳＲＡＭ２３からは適切なＳＴＣを与えるデータが出力され、Ｄ／Ａコンバータ２２からは適切なＳＴＣに対応する波形電圧が出力される。また、マルチプレクサ２５によって、適切なダイナミックレンジを与えるようにＳＴＣ処理された超音波信号を分圧処理するために、抵抗群２４の接続位置が選択的に切り換えられる。
【００１９】
マルチプレクサ２５からの出力電圧は最終的にバッファアンプ２６に入力され、バッファ２６よりＡ／Ｄコンバータ４に出力される。この出力電圧は、使用する超音波内視鏡において最良な画質が得られるような調整内容で超音波エコー信号を増幅および圧縮処理した出力電圧であることは言うまでもない。
【００２０】
バッファアンプ２６の出力電圧は、Ａ／Ｄコンバータ４でデジタル化された後にＤＳＣ５でテレビフォーマットに座標変換され、超音波観測装置２に設けたモニタ６で超音波診断画像となる。
このようにして、超音波観測装置２は、電源投入に伴いホストコンピュータと通信を行って、使用する予定の超音波内視鏡に最も適した画質に調整するように、受信信号処理回路３の諸定数を自動的に設定することができる。
【００２１】
なお、上記実施例においては、通信手段としてのモデム９は超音波観測装置２に内蔵されているが、図４に示すようにモデム９を超音波観測装置２と別体とし、超音波観測装置２にはそれとのインターフェース回路のみを設けるようにしてもよい。
また、上記実施例では外部とのデータの伝送（通信）を電話回線で行っているが、図５に示すように送受信器５０、アンテナ５１、５２、送受信器５３を用いて無線伝送するように通信手段を構成したり、図６に示すようにモデム９および１１間を光ケーブル５４で接続して通信手段を構成してもよい。
さらに、図７に示すように、１台のホストコンピュータを用いて、例えば病院等の同一施設内の各部屋（Ｘ線室、内視鏡室、手術室等）に複数の超音波観測装置２−１，２−２，２−３を設置すれば、モデム５５およびＲＳ‐２３２Ｃ光ケーブル５６を介して同時に良好な画質に設定することができる。
【００２２】
図８は本発明の超音波診断装置の第２実施例の構成を示すブロック図であり、第１実施例と同一の部分には同一符号を付けて説明を省略する。この第２実施例は、上記第１実施例をさらに発展させたものであり、超音波内視鏡のプローブの感度の個体差や経時変化等を考慮しつつ最適な画質調整内容になるように自動調整を行うようにしてある。
この第２実施例の第１実施例との相違点は、図９に示すように、受信信号処理回路３の構成を一部変更したことと、超音波内視鏡データ読み取り回路７のデータを直接画質調整状態記憶メモリ１４に入力する代わりにＣＰＵ１３に入力したことと、Ａ／Ｄコンバータ４のデータをＣＰＵ１３からの制御信号に応じてＣＰＵ１３に取り込むようにしたことと、ＣＰＵ１３から受信信号処理回路３に後述する制御信号を入力するようにしたことである。
【００２３】
図９に示す受信信号処理回路３の変更点は、プローブより受信エコー信号が入力されるアンプ１６と復調器１７との間に切換スイッチ２７‐１を挿入したことと、マルチプレクサ２５およびバッファアンプ２６間に切換スイッチ２７‐２を挿入したことと、切換スイッチ２７‐１および切換スイッチ２７‐２間にゲインアンプ２８を挿入したことであり、さらに、この変更に伴い切換スイッチ２７‐１および２７‐２の接点の切り換えを制御するためＣＰＵ１３より切換スイッチ２７‐１および２７‐２に制御信号を入力するようにしている。この構成では、超音波内視鏡１からの超音波エコー信号をＣＰＵ１３からの制御信号に基づいて増幅してからＡ／Ｄコンバータ４に入力する。
なお、この実施例で用いる超音波内視鏡１の先端部には、図１０に示すように、超音波振動子２９およびその超音波振動子が生体に接触しないように保護するための先端キャップ３０が設けられている。
【００２４】
次に、この第２実施例の作用について説明する。
超音波振動子２９から放射された超音波は先端キャップ３０で反射する。この反射エコーは電気信号となり、例えば数十ｍＶ（Ｐ‐Ｐ値）の第１エコー信号として受信信号処理回路３に入力される。
ここで、超音波観測装置２に電源を投入すると、空中に位置している超音波内視鏡１の先端キャップ３０から放射された第１エコー信号を受信信号処理回路３で増幅およびデジタル化した信号がＣＰＵ１３に入力される。
【００２５】
一方、ホストコンピュータ１２には、本実施例では第１実施例と同一の画質調整状態データに加えて、各種超音波内視鏡に対応する第１エコー信号のデータがデジタル化した状態で記憶されているので、この第１エコー信号のデータも画質調整状態データと同時に超音波観測装置２に転送される。
このようにしてホストコンピュータ１２から転送された第１エコー信号のデータの内容は、ＣＰＵ１３において超音波観測装置２に接続した超音波内視鏡１から入力された第１エコー信号のデータの内容と比較される。そして、この比較により得られた比較データに基づいて、ＣＰＵ１３は、ホストコンピュータ１２から転送された画質調整状態データに補正を加えることにより画質調整状態記憶メモリ１４に記憶するデータを作成し、そのデータを画質調整状態記憶メモリ１４に記憶する。
【００２６】
以上により、超音波内視鏡のプローブの感度の個体差や経時変化等を考慮しつつ最適な画質調整内容が得られるような自動調整を行うことができる。
【００２７】
図１１は本発明の超音波診断装置の第３実施例の構成を示すブロック図であり、第２実施例と同一の部分には同一符号を付けて説明を省略する。この第３実施例は、上記第２実施例をさらに発展させたものであり、上記自動調整に加えて、超音波観測装置２に接続する超音波内視鏡１の故障診断を行うようにしてある。
この第３実施例の第２実施例との相違点は、図１１に示すように、超音波観測装置２内に回転検出信号監視回路３１、モータ電流監視回路３２および断線監視回路３３を追加したことである。
【００２８】
回転検出信号監視回路３１は、超音波内視鏡１の超音波振動子２９の回転角度に対応する信号を発生する図示しないエンコーダ（超音波内視鏡１に内蔵されている）から入力される信号を監視しており、監視結果に応じた監視信号をＣＰＵ１３に入力する。
モータ電流監視回路３２は、公知のホール素子を用いた電流検出回路により構成されており、超音波内視鏡１の超音波振動子２９を回転駆動する図示しないモータ（超音波内視鏡１に内蔵されている）に供給される電流を監視しており、監視結果に応じた監視信号をＣＰＵ１３に入力する。
【００２９】
断線監視回路３３は、本実施例の超音波内視鏡１が超音波振動子および送信回路間に断線が発生した場合には正規の出力電圧の約２倍の高い出力電圧を発生するような論理に構成されているので、超音波内視鏡１から入力される信号を監視することにより超音波振動子および送信回路間の断線を検出することができ、監視結果に応じた監視信号をＣＰＵ１３に入力する。
上記各監視回路からの監視信号は、ＣＰＵ１３によってモデム９等を介してホストコンピュータ１２に転送される。
【００３０】
次に、この第３実施例の作用を図１２に示す故障診断プログラムのフローチャートによって説明する。
この故障診断プログラムはホストコンピュータ１２で実行されるものであり、電源投入後ステップＳ１で故障診断が開始され、次のステップＳ２で回転検出信号の有無をチェックする。そのチェックにおいて回転検出信号がある正常時にはステップＳ３に進み、回転検出信号がない異常時にはステップＳ７に進んで例えば「使用している超音波内視鏡は故障しています」という異常時のメッセージを表示する。
ステップＳ３では、モータ電流が流れているか否かをチェックし、このチェックにおいてモータ電流が流れている正常時にはステップＳ４に進み、モータ電流が流れていない異常時にはステップＳ７に進んで上記異常時のメッセージを表示する。
【００３１】
ステップＳ４では、第１エコー信号の有無をチェックし、このチェックにおいて第１エコー信号がある正常時にはステップＳ５に進み、第１エコー信号がない異常時にはステップＳ７に進んで上記異常時のメッセージを表示する。
ステップＳ５では、上述したように断線によって大きく変化する超音波内視鏡の出力電圧により断線の有無をチェックし、このチェックにおいて断線していない正常時にはステップＳ６に進んで例えば「使用している超音波内視鏡は正常です」という正常時のメッセージを表示し、断線している異常時にはステップＳ７に進んで上記異常時のメッセージを表示する。
【００３２】
上述のように、故障診断の結果はホストコンピュータ１２から各音響カップラおよびモデムを介してＣＰＵ１３に転送され、ＣＰＵ１３はこの故障診断結果を受けて、故障と診断された箇所をモニタ６またはキーボード１５の表示部（図３（ａ）のＬＥＤまたは同図（ｂ）の液晶パネル面）に表示する。したがって、この実施例では、超音波観測装置２を大型化させることなく故障診断機能を付加することが可能になる。
【００３３】
本発明は上述した例のみに限定されるものではなく、種々の変形または変更を加え得ること勿論である。例えば、上記実施例ではＢモードの超音波診断装置に適用し得るようにしたが、カラードップラーのフロウゲインやフロウフィルタの調整に適用してもよい。
また、上記実施例では故障診断の対象を超音波内視鏡１として説明を展開したが、超音波観測装置２の各部を監視する監視回路を超音波観測装置２内に設けてその監視信号をホストコンピュータ１２に転送することにより超音波観測装置２の故障診断を行うようにすることもできる。
また、上記実施例では外部（ホストコンピュータ１２）で故障診断を行っているが、超音波観測装置２のＣＰＵ１３で自己故障診断を行うようにすることもできる。
【００３４】
【発明の効果】
以上説明したように本発明によれば、システム起動時には超音波診断装置の設定状態、例えば受信回路の設定状態の変更が自動的に完了して、超音波観測装置に接続した超音波内視鏡に応じて良好な画質が得られるような設定になっているから、オペレータは起動後に必要最小限の調整を行うだけでよく、画質設定調整の作業性が向上する。
【図面の簡単な説明】
【図１】本発明の超音波診断装置の第１実施例の構成を示すブロック図である。
【図２】同例の受信信号処理回路の構成を示す回路図である。
【図３】（ａ）、（ｂ）は、同例のキーボードの構成を示す図である。
【図４】同例の通信手段の他の例を示す図である。
【図５】同例の通信手段の他の例を示す図である。
【図６】同例の通信手段の他の例を示す図である。
【図７】同例において、病院等の同一施設内に複数の超音波診断装置を設置したシステムを示す図である。
【図８】本発明の超音波診断装置の第２実施例の構成を示すブロック図である。
【図９】同例の受信信号処理回路の構成を示す回路図である。
【図１０】同例に用いる超音波内視鏡の先端部の構成を示す図である。
【図１１】本発明の超音波診断装置の第３実施例の構成を示すブロック図である。
【図１２】同例の故障診断プログラムを示すのフローチャートである。
【符号の説明】
１  超音波内視鏡
２  超音波観測装置
３  受信信号処理回路
４  Ａ／Ｄコンバータ
５  ＤＳＣ（デジタルスキャンコンバータ）
６  テレビモニタ
７  超音波内視鏡データ読み取り回路
８  音響カップラ
９  モデム
10  音響カップラ
11  モデム
12  ホストコンピュータ（のデータベース）
13  ＣＰＵ
14  画質調整状態記憶メモリ
15  キーボード
【図１】
0003733147.tif 000002
【図２】
0003733147.tif 000003
【図３】
0003733147.tif 000004
【図４】
0003733147.tif 000005
【図５】
0003733147.tif 000006
【図６】
0003733147.tif 000007
【図７】
0003733147.tif 000008
【図８】
0003733147.tif 000009
【図９】
0003733147.tif 000010
【図１０】
0003733147.tif 000011
【図１１】
0003733147.tif 000012
【図１２】
0003733147.tif 000013